(57)【要約】  本発明の色むら補正装置は、複数の色むら補正部（１３ａ〜１３ｃ）からなり、これら色むら補正部（１３ａ〜１３ｃ）は、当該色むら補正部（１３ａ〜１３ｃ）に対応する液晶パネル（５ａ〜５ｃ）を用いて投写表示される画像における色むらを、他の色むら補正部（１３ａ〜１３ｃ）に対応する液晶パネル（５ａ〜５ｃ）の色を用いて補正するのに十分な振幅が補正量として設定され、補正量を他の色むら補正部（１３ａ〜１３ｃ）に出力し、他の色むら補正部（１３ａ〜１３ｃ）から補正量が入力された場合に、色むら補正データを出力する色むら補正信号発生回路（７ａ〜７ｃ，８ａ〜８ｃ）と、入力された映像信号に、色むら補正信号発生回路（７ａ〜７ｃ，８ａ〜８ｃ）から出力された色むら補正データを加算する色むら補正信号加算回路（３ａ〜３ｃ）とを有する。
2010109633.tif 000002
【特許請求の範囲】
【請求項１】
互いに異なる色を具備する複数の液晶パネルを用いてカラー画像を投写表示する映像表示装置に用いられ、前記複数の液晶パネルを用いて投写表示される画像における色むらを補正するために各液晶パネルのそれぞれに対応して設けられた複数の色むら補正手段からなる色むら補正装置であって、
前記複数の色むら補正手段のそれぞれは、
他の色むら補正手段に対応する液晶パネルの色を用いて前記色むらを補正するための第１の補正データを前記他の色むら補正手段に要求し、他の色むら補正手段から前記第１の補正データが要求された場合に該第１の補正データを出力する第１の補正信号発生手段と、
入力された映像信号に、前記第１の補正信号発生手段から出力された第１の補正データを加算する加算手段とを有する色むら補正装置。
【請求項２】
請求項１に記載の色むら補正装置において、
前記複数の色むら補正手段のそれぞれは、
入力された映像信号に基づいて、該映像信号による投写映像にて輝度むらを減少させる第２の補正データを発生する第２の補正信号発生手段を有し、
前記加算手段は、入力された映像信号に、前記第１の補正信号発生手段から出力された第１の補正データと、前記第２の補正信号発生手段にて発生した第２の補正データとを加算する色むら補正装置。
【請求項３】
請求項１または請求項２に記載の色むら補正装置において、
前記第１の補正信号発生手段は、
映像表示画面を複数のブロックに分割し、該複数のブロック毎に前記色むらの補正量を記憶した記憶手段と、
前記記憶手段に記憶された補正量に基づいて前記第１の補正データを要求する補正信号要求手段とを有する色むら補正装置。
【請求項４】
請求項３に記載の色むら補正装置において、
前記記憶手段は、前記ブロック毎に、入力された映像信号による明るさに応じた色むらの補正量を記憶している色むら補正装置。
【請求項５】
請求項３に記載の色むら補正装置において、
前記補正信号要求手段にて要求される前記第１の補正データについて、入力された映像信号の明るさに応じた振幅を指定する振幅制御手段を有する色むら補正装置。
【請求項６】
互いに異なる色を具備する複数の液晶パネルを用いてカラー画像を投写表示する映像表示装置において前記複数の液晶パネルを用いて投写表示される画像における色むらを補正するために各液晶パネルのそれぞれに対応して設けられた複数の色むら補正手段を用いた色むら補正方法であって、
他の色むら補正手段に対応する液晶パネルの色を用いて前記色むらを補正するための第１の補正データを前記他の色むら補正手段に要求する処理と、
他の色むら補正手段から前記第１の補正データが要求された場合に該第１の補正データを出力する処理と、
入力された映像信号に、前記出力された第１の補正データを加算する処理とを有する色むら補正方法。
【請求項７】
請求項６に記載の色むら補正方法において、
入力された映像信号に基づいて、該映像信号による投写映像にて輝度むらを減少させる第２の補正データを発生する処理と、
入力された映像信号に、前記出力された第１の補正データと、前記第２の補正データとを加算する処理とを有する色むら補正方法。
【発明の詳細な説明】
【技術分野】
【０００１】
本発明は、映像表示装置、特に３板式投射型液晶表示装置における色むらを補正する色むら補正装置及び色むら補正方法に関する。
【背景技術】
【０００２】
一般的に、赤色（Ｒ）、緑色（Ｇ）、青色（Ｂ）の３枚の液晶パネルを用いてスクリーン上にカラー画像を投写表示する３板式投射型液晶表示装置においては、３枚の液晶パネルが重ね合わされた際に、３枚の液晶パネルの表示画面における輝度のばらつきによって色むらが生じる。そこで、このような輝度のばらつきによって生じる色むらを補正する装置が考えられており、例えば、特開平１０−８４５５１号公報に開示されている。【０００３】
図１は、３板式投射型液晶表示装置に用いる色むら補正装置の一例を示すブロック図であり、赤色、緑色、青色のうち１色の構成について示す。【０００４】
本例における色むら補正装置は図１に示すように、入力された映像信号２０１をＶ−Ｔ補正するＶＴ補正回路２０２と、入力された映像信号２０１について輝度のばらつきによって生じる色むらを補正するための色むら補正信号を発生させる色むら補正信号発生回路２０６と、色むら補正信号発生回路２０６にて発生する色むら補正信号を、入力されるＨ同期信号２０７及びＶ同期信号２０８に応じたタイミングで読み出すためのタイミング発生回路２０９と、ＶＴ補正回路２０２にてＶ−Ｔ補正された映像信号に、色むら補正信号発生回路２０６にて発生した色むら補正信号を加算する色むら補正信号加算回路２０３と、液晶パネル２０５と、液晶パネル２０５を駆動する液晶パネル駆動回路２０４とから構成されている。【０００５】
上記のように構成された色むら補正回路は、赤色、緑色、青色のうちいずれか１色の映像信号入力２０１が入力されると、ＶＴ補正回路２０２において、入力された映像信号入力２０１について液晶の電圧−透過率特性をリニアな特性に変換することでＶ−Ｔ補正を行う。このＶ−Ｔ補正された信号は、色むら補正信号加算回路２０３と色むら補正信号発生回路２０６に入力される。色むら補正信号発生回路２０６においては、投写した映像信号の輝度レベルから求めた色むら補正データが内部のメモリ（不図示）に記憶されており、タイミング発生回路２０９において、映像信号のＨ同期信号２０７及びＶ同期信号２０８に応じたタイミングでこの補正データを読み出す。この色むら補正信号発生回路２０６のメモリに記憶された補正データは、赤色、緑色、青色の液晶パネル毎に面内の輝度データが測定され、その輝度データに基づいて設定されている。そして、色むら補正信号加算回路２０３において、ＶＴ補正回路２０２にてＶ−Ｔ補正された映像信号に色むら補正信号発生回路２０６から読み出された補正データを加算する。その後、補正データが加算された信号に基づいて液晶パネル駆動回路２０４が液晶パネル２０５を駆動する。【０００６】
このように、図１に示した色むら補正装置においては、赤色、緑色、青色の液晶パネル毎に面内の輝度分布を補正することにより各液晶パネルの輝度むらを減少させ、それにより、赤色、緑色、青色が合成されて作られる映像の色むらを軽減することが可能となっている。【０００７】
ところが、上述したような３板式投射型液晶表示装置においては、赤色、緑色、青色それぞれについて輝度のばらつきによって生じる色むらを減少させることはできるものの、現実には、赤色、緑色、青色のいずれか単色を表示させた場合に全体が均一な色に見えないという色むらが発生する。例えば、光源であるランプにおいて面内の色度分布が厳密には一様でない場合にこのような色むらが発生する。これは、色むらが、液晶パネルに起因する輝度むらの他に、クロスプリズムの分光特性等の光学系要素に起因するものであるためである。また、単色でなくても、例えば、赤色と緑色の液晶パネルで生成される黄色映像について、青色成分の色むらが発生していた場合についても同様に色むらが発生する。
【発明の開示】
【０００８】
本発明は、上述した技術が有する問題点に鑑みてなされたものであって、互いに異なる色を具備する複数の液晶パネルを用いてカラー画像を投写表示する場合に、複数の色のそれぞれにおいて全体が均一な色に見えない色むらを補正することができる色むら補正装置及び色むら補正方法を提供することを目的とする。
【０００９】
上記目的を達成するために本発明は、
互いに異なる色を具備する複数の液晶パネルを用いてカラー画像を投写表示する映像表示装置に用いられ、前記複数の液晶パネルを用いて投写表示される画像における色むらを補正するために各液晶パネルのそれぞれに対応して設けられた複数の色むら補正手段からなる色むら補正装置であって、
前記複数の色むら補正手段のそれぞれは、
他の色むら補正手段に対応する液晶パネルの色を用いて前記色むらを補正するための第１の補正データを前記他の色むら補正手段に要求し、他の色むら補正手段から前記第１の補正データが要求された場合に該第１の補正データを出力する第１の補正信号発生手段と、
入力された映像信号に、前記第１の補正信号発生手段から出力された第１の補正データを加算する加算手段とを有する。
【００１０】
以上説明したように本発明においては、互いに異なる色を具備する複数の液晶パネルにを用いて投写表示される画像における色むらを補正するために各液晶パネルのそれぞれに対応して設けられた複数の色むら補正手段のそれぞれが、他の色むら補正手段に対応する液晶パネルの色を用いて色むらを補正するための第１の補正データを他の色むら補正手段に要求し、他の色むら補正手段から第１の補正データが要求された場合にその第１の補正データを出力する第１の補正信号発生手段と、入力された映像信号に、第１の補正信号発生手段から出力された第１の補正データを加算する加算手段とを有する構成とし、色むらが発生した色とは異なる他の色からなり、この色むらを補正するための第１の補正データが入力された映像信号に加算されるので、複数の液晶パネルを介して投写された画像が合成されると、この加算された第１の補正データの色によって色むらが補正されることになり、それにより、互いに異なる色を具備する複数の液晶パネルを用いてカラー画像を投写表示する場合に、複数の色のそれぞれにおいて全体が均一な色に見えない色むらを補正することができる。
【図面の簡単な説明】
【００１１】
【図１】３板式投射型液晶表示装置に用いる色むら補正装置の一例を示すブロック図である。
【図２】本発明の色むら補正装置の実施の一形態が用いられた映像表示装置の構成を示すブロック図である。
【図３】図２に示した色むら補正信号発生回路の構成を示す図である。
【図４】本発明の色むら補正装置の他の実施の形態が用いられた映像表示装置の構成を示すブロック図である。
【図５】図４に示した色むら補正信号発生回路の構成を示す図である。
【発明を実施するための形態】
【００１２】
以下に、本発明の実施の形態について図面を参照して説明する。
【００１３】
図２は、本発明の色むら補正装置の実施の一形態が用いられた映像表示装置の構成を示すブロック図である。
【００１４】
本形態は図２に示すように、赤色（Ｒ）、緑色（Ｇ）、青色（Ｂ）の色を有する３枚の液晶パネル５ａ〜５ｃを用いてスクリーン上にカラー画像を投写表示する映像表示装置である３板式投射型液晶表示装置に用いられ、３枚の液晶パネル５ａ〜５ｃにそれぞれ対応して設けられた３つの色むら補正部１３ａ〜１３ｃから構成されている。なお、液晶パネル５ａ〜５ｃは、液晶パネル駆動回路４ａによって駆動する。
【００１５】
色むら補正部１３ａは、赤色の液晶パネル５ａに対応して設けられたものであって、入力された赤色映像信号１ａをＶ−Ｔ補正するＶＴ補正回路２ａと、入力された赤色映像信号１ａについての輝度むらを補正するための第２の補正データとなる輝度むら補正データを発生させる第２の補正信号発生手段である色むら補正信号発生回路６ａと、入力された赤色映像信号１ａについての色むらを緑色を用いて補正するための第１のデータとなる色むら補正データを、緑色の液晶パネル５ｂに対応して設けられた色むら補正部１３ｂに要求し、また、色むら補正部１３ｂから、色むら補正部１３ｂに入力された緑色映像信号１ｂについての色むらを赤色を用いて補正するための第１のデータとなる色むら補正データが要求された場合にその色むら補正データを出力する第１の補正信号発生手段である色むら補正信号発生回路７ａと、入力された赤色映像信号１ａについての色むらを青色を用いて補正するための第１のデータとなる色むら補正データを、青色の液晶パネル５ｃに対応して設けられた色むら補正部１３ｃに要求し、また、色むら補正部１３ｃから、色むら補正部１３ｃに入力された青色映像信号１ｃについての色むらを赤色を用いて補正するための第１のデータとなる色むら補正データが要求された場合にその色むら補正データを出力する第１の補正信号発生手段である色むら補正信号発生回路８ａと、色むら補正信号発生回路６ａにて発生する輝度むら補正データや色むら補正信号発生回路７ａ，８ａにて発生する色むら補正データを、入力されるＨ同期信号１１ａ及びＶ同期信号１２ａに応じたタイミングで読み出すためのタイミング発生回路９ａと、ＶＴ補正回路２ａにてＶ−Ｔ補正された映像信号に、色むら補正信号発生回路６ａにて発生した輝度むら補正データと色むら補正信号発生回路７ａ，８ａにて発生した色むら補正データを加算する色むら補正信号加算回路３ａとから構成されている。
【００１６】
色むら補正部１３ｂは、緑色の液晶パネル５ｂに対応して設けられたものであって、入力された緑色映像信号１ｂをＶ−Ｔ補正するＶＴ補正回路２ｂと、入力された緑色映像信号１ｂについての輝度むらを補正するための第２の補正データとなる輝度むら補正データを発生させる第２の補正信号発生手段である色むら補正信号発生回路６ｂと、入力された緑色映像信号１ｂについての色むらを青色を用いて補正するための第１のデータとなる色むら補正データを、青色の液晶パネル５ｃに対応して設けられた色むら補正部１３ｃに要求し、また、色むら補正部１３ｃから、色むら補正部１３ｃに入力された青色映像信号１ｃについての色むらを緑色を用いて補正するための第１のデータとなる色むら補正データが要求された場合にその色むら補正データを出力する第１の補正信号発生手段である色むら補正信号発生回路７ｂと、入力された緑色映像信号１ｂについての色むらを赤色を用いて補正するための第１のデータとなる色むら補正データを色むら補正部１３ａに要求し、また、色むら補正部１３ａから、色むら補正部１３ａに入力された赤色映像信号１ａについての色むらを緑色を用いて補正するための第１のデータとなる色むら補正データが要求された場合にその色むら補正データを出力する第１の補正信号発生手段である色むら補正信号発生回路８ｂと、色むら補正信号発生回路６ｂにて発生する輝度むら補正データや色むら補正信号発生回路７ｂ，８ｂにて発生する色むら補正データを、入力されるＨ同期信号１１ｂ及びＶ同期信号１２ｂに応じたタイミングで読み出すためのタイミング発生回路９ｂと、ＶＴ補正回路２ｂにてＶ−Ｔ補正された映像信号に、色むら補正信号発生回路６ｂにて発生した輝度むら補正データと色むら補正信号発生回路７ｂ，８ｂにて発生した色むら補正データを加算する色むら補正信号加算回路３ｂとから構成されている。
【００１７】
色むら補正部１３ｃは、青色の液晶パネル５ｃに対応して設けられたものであって、入力された青色映像信号１ｃをＶ−Ｔ補正するＶＴ補正回路２ｃと、入力された青色映像信号１ｃについての輝度むらを補正するための第２の補正データとなる輝度むら補正データを発生させる第２の補正信号発生手段である色むら補正信号発生回路６ｃと、入力された青色映像信号１ｃについての色むらを赤色を用いて補正するための第１のデータとなる色むら補正データを色むら補正部１３ａに要求し、また、色むら補正部１３ａから、色むら補正部１３ａに入力された赤色映像信号１ａについての色むらを青色を用いて補正するための第１のデータとなる色むら補正データが要求された場合にその色むら補正データを出力する第１の補正信号発生手段である色むら補正信号発生回路７ｃと、入力された青色映像信号１ｃについての色むらを緑色を用いて補正するための第１のデータとなる色むら補正データを色むら補正部１３ｂに要求し、また、色むら補正部１３ｂから、色むら補正部１３ｂに入力された緑色映像信号１ｂについての色むらを青色を用いて補正するための第１のデータとなる色むら補正データが要求された場合にその色むら補正データを出力する第１の補正信号発生手段である色むら補正信号発生回路８ｃと、色むら補正信号発生回路６ｃにて発生する輝度むら補正データや色むら補正信号発生回路７ｃ，８ｃにて発生する色むら補正データを、入力されるＨ同期信号１１ｃ及びＶ同期信号１２ｃに応じたタイミングで読み出すためのタイミング発生回路９ｃと、ＶＴ補正回路２ｃにてＶ−Ｔ補正された映像信号に、色むら補正信号発生回路６ｃにて発生した輝度むら補正データと色むら補正信号発生回路７ｃ，８ｃにて発生した色むら補正データを加算する色むら補正信号加算回路３ｃとから構成されている。
【００１８】
以下に、上記のように構成された色むら補正装置の動作について説明する。
【００１９】
色むら補正部１３ａ〜１３ｃに赤色映像信号１ａ、緑色映像信号１ｂ及び青色映像信号１ｃがそれぞれ入力されると、ＶＴ補正回路２ａ〜２ｃにおいて、入力された赤色映像信号１ａ、緑色映像信号１ｂ及び青色映像信号１ｃについて液晶の電圧−透過率特性をリニアな特性に変換することでＶ−Ｔ補正を行う。このＶ−Ｔ補正された信号は、色むら補正信号加算回路３ａ〜３ｃと色むら補正信号発生回路６ａ〜６ｃにそれぞれ入力される。
【００２０】
色むら補正信号発生回路６ａ〜６ｃにおいては、投写した映像信号の輝度レベルから求めた輝度むら補正データが内部のメモリ（不図示）に記憶されており、タイミング発生回路９ａ〜９ｃにおいて、映像信号のＨ同期信号７ａ〜７ｃ及びＶ同期信号８ａ〜８ｃに応じたタイミングでこの補正データを読み出す。この色むら補正信号発生回路６ａ〜６ｃのメモリに記憶された輝度むら補正データは、赤色、緑色、青色の液晶パネル５ａ〜５ｃ毎に面内の輝度データが測定され、その輝度データに基づいて設定されている。
【００２１】
また、色むら補正部１３ａ〜１３ｃにそれぞれ入力された赤色映像信号１ａ、緑色映像信号１ｂ及び青色映像信号１ｃは、色むら補正部１３ａにおいては色むら補正信号発生回路７ａ，８ａに入力され、色むら補正部１３ｂにおいては色むら補正信号発生回路７ｂ，８ｂに入力され、色むら補正部１３ｃにおいては色むら補正信号発生回路７ｃ，８ｃに入力される。
【００２２】
図３は、図２に示した色むら補正信号発生回路７ａの構成を示す図である。なお、図２に示した色むら補正信号発生回路７ｂ，７ｃ，８ａ〜８ｃの構成もこれと同様である。
【００２３】
図２に示した色むら補正信号発生回路７ａ〜７ｃ，８ａ〜８ｃは、図３に示すように、記憶手段であるルックアップテーブル１４と、補正信号要求手段である補正データ要求部１５と、補正データ生成部１８とから構成されている。
【００２４】
ルックアップテーブル１４には、色むら補正信号発生回路７ａ〜７ｃ，８ａ〜８ｃ毎に、液晶パネル５ａ〜５ｃを用いて表示される画像における色むらを補正するための補正データが記憶されている。これは、液晶パネル５ａ〜５ｃを用いて表示される画像をカラーカメラ等を用いて予め撮影し、色むらがなくなるような補正データを設定しておく。具体的には、まず、液晶パネル５ａ〜５ｃから投写表示された映像表示画面を複数のブロックに分割し、そのブロック毎に色むらを測定する。上述したように、３枚の液晶パネル５ａ〜５ｃを用いてカラー画像を投写表示する場合、赤色、緑色、青色のそれぞれについて、例えば、光源であるランプにおいて面内の色度分布が厳密には一様でない場合に、全体が均一な色に見えないという色むらが発生する。そこで、分割した複数のブロック毎に、例えば、液晶パネル５ａを用いて赤色が単色表示される場合に、他の緑色や青色によって全体を均一な色となるように、他の色を用いて色むらを補正するための補正量を生成する。これは、入力された映像信号の明るさにも対応しており、例えば、色むら補正部１３ａの色むら補正信号発生回路７ａにおいては、上述した複数のブロックのそれぞれについて、入力される赤色映像信号１ａの明るさに応じて、緑色を用いて色むらを補正するのに十分な振幅が設定され、また、色むら補正信号発生回路８ａにおいては、上述した複数のブロックのそれぞれについて、入力される赤色映像信号１ａの明るさに応じて、青色を用いて色むらを補正するのに十分な振幅が設定されている。また、色むら補正部１３ｂの色むら補正信号発生回路７ｂにおいては、上述した複数のブロックのそれぞれについて、入力される緑色映像信号１ｂの明るさに応じて、青色を用いて色むらを補正するのに十分な振幅が設定され、また、色むら補正信号発生回路８ｂにおいては、上述した複数のブロックのそれぞれについて、入力される緑色映像信号１ｂの明るさに応じて、赤色を用いて色むらを補正するのに十分な振幅が設定されている。また、色むら補正部１３ｃの色むら補正信号発生回路７ｃにおいては、上述した複数のブロックのそれぞれについて、入力される青色映像信号１ｃの明るさに応じて、赤色を用いて色むらを補正するのに十分な振幅が設定され、また、色むら補正信号発生回路８ｃにおいては、上述した複数のブロックのそれぞれについて、入力される青色映像信号１ｃの明るさに応じて、緑色を用いて色むらを補正するのに十分な振幅が設定されている。なお、上述したように分割されるブロックについては、その数が多くなればなるほど、精細な制御が可能となるが、ルックアップテーブル１４に記憶される情報量が膨大なものとなってしまう。そのため、ブロックのデータをある程度離散的に保持し、ブロック間のデータについて補間を行うことにより、ルックアップテーブル１４に記憶される情報量を膨大なものとせずに精細な制御を可能とすることができる。
【００２５】
赤色映像信号１ａが色むら補正信号発生回路７ａ，８ａにそれぞれ入力されると、色むら補正信号発生回路７ａ，８ａにおいて、ルックアップテーブル１４を参照し、入力された赤色映像信号１ａの明るさに応じて、赤色映像信号１ａの色むらを補正するための補正データを要求する。上述したように、色むら補正信号発生回路７ａのルックアップテーブル１４には、入力される赤色映像信号１ａの明るさに応じて、緑色を用いて色むらを補正するのに十分な振幅が補正量として複数のブロック毎に設定されているので、色むら補正信号発生回路７ａの補正データ要求部１５は、複数のブロック毎に、入力された赤色映像信号１ａの明るさに応じて、赤色映像信号１ａの色むらを補正するための振幅を有する緑色による色むら補正データを出力する旨を色むら補正部１３ｂに要求する。同様に、色むら補正信号発生回路８ａのルックアップテーブル１４には、入力される赤色映像信号１ａの明るさに応じて、青色を用いて色むらを補正するのに十分な振幅が補正量として複数のブロック毎に設定されているので、色むら補正信号発生回路８ａの補正データ要求部１５は、複数のブロック毎に、入力された赤色映像信号１ａの明るさに応じて、赤色映像信号１ａの色むらを補正するための振幅を有する青色による色むら補正データを出力する旨を色むら補正部１３ｃに要求する。
【００２６】
また、上述したように、色むら補正信号発生回路７ｂのルックアップテーブル１４には、入力される緑色映像信号１ｂの明るさに応じて、青色を用いて色むらを補正するのに十分な振幅が補正量として複数のブロック毎に設定されているので、色むら補正信号発生回路７ｂの補正データ要求部１５は、複数のブロック毎に、入力された緑色映像信号１ｂの明るさに応じて、緑色映像信号１ｂの色むらを補正するための振幅を有する青色による色むら補正データを出力する旨を色むら補正部１３ｃに要求する。同様に、色むら補正信号発生回路８ｂのルックアップテーブル１４には、入力される緑色映像信号１ｂの明るさに応じて、赤色を用いて色むらを補正するのに十分な振幅が補正量として複数のブロック毎に設定されているので、色むら補正信号発生回路８ｂの補正データ要求部１５は、複数のブロック毎に、入力された緑色映像信号１ｂの明るさに応じて、緑色映像信号１ｂの色むらを補正するための振幅を有する赤色による色むら補正データを出力する旨を色むら補正部１３ａに要求する。
【００２７】
また、上述したように、色むら補正信号発生回路７ｃのルックアップテーブル１４には、入力される青色映像信号１ｃの明るさに応じて、赤色を用いて色むらを補正するのに十分な振幅が補正量として複数のブロック毎に設定されているので、色むら補正信号発生回路７ｃの補正データ要求部１５は、複数のブロック毎に、入力された青色映像信号１ｃの明るさに応じて、青色映像信号１ｃの色むらを補正するための振幅を有する赤色による色むら補正データを出力する旨を色むら補正部１３ａに要求する。同様に、色むら補正信号発生回路８ｃのルックアップテーブル１４には、入力される青色映像信号１ｃの明るさに応じて、緑色を用いて色むらを補正するのに十分な振幅が補正量として複数のブロック毎に設定されているので、色むら補正信号発生回路８ｃの補正データ要求部１５は、複数のブロック毎に、入力された青色映像信号１ｃの明るさに応じて、青色映像信号１ｃの色むらを補正するための振幅を有する緑色による色むら補正データを出力する旨を色むら補正部１３ａに要求する。
【００２８】
このようにして色むら補正信号発生回路７ａ〜７ｃ，８ａ〜８ｃにおいて、異なる色むら補正部１３ａ〜１３ｃに対して色むら補正データを出力する旨が要求されると、この要求を受けた色むら補正部１３ａ〜１３ｃにおいては、色むら補正信号発生回路７ａ〜７ｃ，８ａ〜８ｃの補正データ生成部１８において、色むら補正信号発生回路７ａ〜７ｃ，８ａ〜８ｃからの要求に応じた色むら補正データを生成する。
【００２９】
例えば、色むら補正信号発生回路７ａの補正データ生成部１８においては、色むら補正部１３ｂの色むら補正信号発生回路８ｂから、上述した複数のブロック毎にその振幅が指定された赤色による補正データを出力する旨が要求されているため、その要求に応じて複数のブロック毎に、色むら補正信号発生回路８ｂから要求された振幅を有する赤色による色むら補正データを生成する。同様に、色むら補正信号発生回路８ａの補正データ生成部１８においては、色むら補正部１３ｃの色むら補正信号発生回路７ｃから、上述した複数のブロック毎にその振幅が指定された赤色による補正データを出力する旨が要求されているため、その要求に応じて複数のブロック毎に、色むら補正信号発生回路７ｃから要求された振幅を有する赤色による色むら補正データを生成する。
【００３０】
また、色むら補正信号発生回路７ｂの補正データ生成部１８においては、色むら補正部１３ｃの色むら補正信号発生回路８ｃから、上述した複数のブロック毎にその振幅が指定された緑色による補正データを出力する旨が要求されているため、その要求に応じて複数のブロック毎に、色むら補正信号発生回路８ｃから要求された振幅を有する緑色による色むら補正データを生成する。同様に、色むら補正信号発生回路８ｂの補正データ生成部１８においては、色むら補正部１３ａの色むら補正信号発生回路７ａから、上述した複数のブロック毎にその振幅が指定された緑色による補正データを出力する旨が要求されているため、その要求に応じて複数のブロック毎に、色むら補正信号発生回路７ａから要求された振幅を有する緑色による色むら補正データを生成する。
【００３１】
また、色むら補正信号発生回路７ｃの補正データ生成部１８においては、色むら補正部１３ａの色むら補正信号発生回路８ａから、上述した複数のブロック毎にその振幅が指定された青色による補正データを出力する旨が要求されているため、その要求に応じて複数のブロック毎に、色むら補正信号発生回路８ａから要求された振幅を有する青色による色むら補正データを生成する。同様に、色むら補正信号発生回路８ｃの補正データ生成部１８においては、色むら補正部１３ｂの色むら補正信号発生回路７ｂから、上述した複数のブロック毎にその振幅が指定された青色による補正データを出力する旨が要求されているため、その要求に応じて複数のブロック毎に、色むら補正信号発生回路７ｂから要求された振幅を有する青色による色むら補正データを生成する。
【００３２】
このように生成された色むら補正データは、色むら補正信号発生回路６ａ〜６ｃのメモリに記憶された輝度むら補正データと同様に、タイミング発生回路９ａ〜９ｃにおいて、映像信号のＨ同期信号７ａ〜７ｃ及びＶ同期信号８ａ〜８ｃに応じたタイミングで読み出される。
【００３３】
そして、色むら補正信号加算回路３ａ〜３ｃにおいて、ＶＴ補正回路２ａ〜２ｃにてＶ−Ｔ補正された映像信号に、色むら補正信号発生回路６ａ〜６ｃから読み出された輝度むら補正データと、色むら補正信号発生回路７ａ〜７ｃ，８ａ〜８ｃから読み出された色むら補正データとを加算する。
【００３４】
その後、色むら補正信号加算回路３ａ〜３ｃにて、色むら補正信号発生回路６ａ〜６ｃから読み出された輝度むら補正データと、色むら補正信号発生回路７ａ〜７ｃ，８ａ〜８ｃから読み出された色むら補正データとが加算された映像信号に基づいて液晶パネル駆動回路４ａ〜４ｃが液晶パネル５ａ〜５ｃを駆動し、赤色、緑色、青色の液晶パネル５ａ〜５ｃを介して投写される画像が合成されてカラー画像が表示されることになる。
【００３５】
この際、色むら補正信号加算回路３ａ〜３ｃから出力される映像信号には、色むら補正信号発生回路６ａ〜６ｃから出力された輝度むら補正信号が加算されているため、赤色映像信号１ａ、緑色映像信号１ｂ及び青色映像信号１ｃによる輝度むらが補正され、また、色むら補正信号発生回路７ａ〜７ｃ，８ａ〜８ｃから出力された色むら補正信号が加算されているため、赤色映像信号１ａ、緑色映像信号１ｂ及び青色映像信号１ｃの単色による色むらが補正される。
【００３６】
例えば、色むら補正部１３ａに入力される赤色映像信号１ａについては、液晶パネル５ｂ，５ｃを介して投写される緑色及び青色による画像の中に、赤色映像信号１ａの単色による色むらを補正するための色むら補正データがそれぞれ含まれているため、これら緑色及び青色による色むら補正データと、液晶パネル５ａを介して投写される赤色による画像とが合成されると、赤色映像信号１ａの単色においてはその色むらが補正されて全体が均一な色となる。
【００３７】
また、色むら補正部１３ｂに入力される緑色映像信号１ｂについては、液晶パネル５ａ，５ｃを介して投写される赤色及び青色による画像の中に、緑色映像信号１ｂの単色による色むらを補正するための色むら補正データがそれぞれ含まれているため、これら赤色及び青色による色むら補正データと、液晶パネル５ｂを介して投写される緑色による画像とが合成されると、緑色映像信号１ｂの単色においてはその色むらが補正されて全体が均一な色となる。
【００３８】
また、色むら補正部１３ｃに入力される青色映像信号１ｃについては、液晶パネル５ａ，５ｂを介して投写される赤色及び緑色による画像の中に、青色映像信号１ｃの単色による色むらを補正するための色むら補正データがそれぞれ含まれているため、これら赤色及び緑色による色むら補正データと、液晶パネル５ｃを介して投写される青色による画像とが合成されると、青色映像信号１ｃの単色においてはその色むらが補正されて全体が均一な色となる。
【００３９】
なお、色むら補正信号発生回路７ａ〜７ｃ，８ａ〜８ｃにおいては、ＶＴ補正回路２ａ〜２ｃによるＶ−Ｔ補正前の信号レベルを用いている。これは、ＶＴ補正回路２ａ〜２ｃにおけるＶ−Ｔ補正は、入力された赤色映像信号１ａ、緑色映像信号１ｂ及び青色映像信号１ｃについて液晶の電圧−透過率特性をリニアな特性に変換するものであることにより、Ｖ−Ｔ補正後の信号には液晶パネル５ａ〜５ｃの特性も含まれている一方、赤色映像信号１ａ、緑色映像信号１ｂ及び青色映像信号１ｃの単色の色むらは光学系にて発生するものであるため、色むらの補正を液晶パネル５ａ〜５ｃの特性に依存させないためである。
【００４０】
（他の実施の形態）
図４は、本発明の色むら補正装置の他の実施の形態が用いられた映像表示装置の構成を示すブロック図である。また、図５は、図４に示した色むら補正信号発生回路１０７ａの構成を示す図である。なお、図４に示した色むら補正信号発生回路１０７ｂ，１０７ｃ，１０８ａ〜１０８ｃの構成もこれと同様である。
【００４１】
本形態は図４に示すように、図２に示したものに対して、色むら補正部１１３ａ〜１１３ｃのそれぞれに２つずつの振幅制御回路１１６ａ〜１１６ｃ，１１７ａ〜１１７ｃをさらに有する点が異なるものである。この振幅制御回路１１６ａ〜１１６ｃ，１１７ａ〜１１７ｃは、例えば、乗算器によって構成することが考えられる。
【００４２】
本形態における色むら補正信号１０７ａ〜１０７ｃは図５に示すように、記憶手段であるルックアップテーブル１１４と、補正信号要求手段である補正データ要求部１１５と、補正データ生成部１１８とから構成されている。
【００４３】
図３に示したものと同様に、ルックアップテーブル１１４には、色むら補正信号発生回路１０７ａ〜１０７ｃ，１０８ａ〜１０８ｃ毎に、液晶パネル１０５ａ〜１０５ｃを用いて表示される画像における色むらを補正するための補正データが記憶されているが、本形態におけるルックアップテーブル１１４に記憶された補正データは、入力された映像信号の明るさには対応していない。そのため、上述した複数のブロックのそれぞれについて１つずつの補正データが記憶されていることになる。
【００４４】
補正データ要求部１１５において、このルックアップテーブル１１４を参照してブロック毎に補正データを要求すると、振幅制御回路１１６ａ〜１１６ｃ，１１７ａ〜１１７ｃにおいて、要求される補正データについて、入力された映像信号に応じた振幅を指定する。
【００４５】
具体的には、振幅制御回路１１６ａにおいては、色むら補正信号発生回路１０７ａにて色むら補正部１１３ｂの色むら補正信号発生回路１０８ｂに対して要求された補正データについて、入力された赤色映像信号１０１ａの明るさに応じて、赤色映像信号１０１ａの単色による色むらが補正されるような振幅を指定する。同様に、振幅制御回路１１７ａにおいては、色むら補正信号発生回路１０８ａにて色むら補正部１１３ｃの色むら補正信号発生回路１０７ｃに対して要求された補正データについて、入力された赤色映像信号１０１ａの明るさに応じて、赤色映像信号１０１ａの単色による色むらが補正されるような振幅を指定する。
【００４６】
また、振幅制御回路１１６ｂにおいては、色むら補正信号発生回路１０７ｂにて色むら補正部１１３ｃの色むら補正信号発生回路１０８ｃに対して要求された補正データについて、入力された緑色映像信号１０１ｂの明るさに応じて、緑色映像信号１０１ｂの単色による色むらが補正されるような振幅を指定する。同様に、振幅制御回路１１７ｂにおいては、色むら補正信号発生回路１０８ｂにて色むら補正部１１３ａの色むら補正信号発生回路１０７ａに対して要求された補正データについて、入力された緑色映像信号１０１ｂの明るさに応じて、緑色映像信号１０１ａの単色による色むらが補正されるような振幅を指定する。
【００４７】
また、振幅制御回路１１６ｃにおいては、色むら補正信号発生回路１０７ｃにて色むら補正部１１３ａの色むら補正信号発生回路１０８ａに対して要求された補正データについて、入力された青色映像信号１０１ｃの明るさに応じて、青色映像信号１０１ｃの単色による色むらが補正されるような振幅を指定する。同様に、振幅制御回路１１７ｃにおいては、色むら補正信号発生回路１０８ｃにて色むら補正部１１３ｂの色むら補正信号発生回路１０７ｂに対して要求された補正データについて、入力された青色映像信号１０１ｃの明るさに応じて、青色映像信号１０１ｃの単色による色むらが補正されるような振幅を指定する。
【００４８】
このようにして振幅制御回路１１６ａ〜１１６ｃ，１１７ａ〜１１７ｃにて振幅が指定された補正データが要求され、その後、図２に示したものと同様の処理が行われることになる。
【００４９】
上述したように本形態においては、ルックアップテーブル１１４には、色むら補正信号発生回路１０７ａ〜１０７ｃ，１０８ａ〜１０８ｃ毎に、液晶パネル１０５ａ〜１０５ｃを用いて表示される画像における色むらを補正するための補正データが、上述した複数のブロックのそれぞれについて１つずつしか記憶されていないため、ルックアップテーブル１１４にて記憶されるデータ量を削減することができる。
【００５０】
以上、実施例を参照して本願発明を説明したが、本願発明は上記実施例に限定されるものではない。本願発明の構成や詳細には、本願発明のスコープ内で当業者が理解し得る様々な変更をすることができる。
【図１】
2010109633.tif 000003
【図２】
2010109633.tif 000004
【図３】
2010109633.tif 000005
【図４】
2010109633.tif 000006
【図５】
2010109633.tif 000007
【国際調査報告】
2010109633.tif 000008
2010109633.tif 000009
2010109633.tif 000010
2010109633.tif 000011